(57)【要約】【目的】  ユーザにとって番組選択が容易であるテレビ視聴機能付き移動通信機器を提供する。【構成】  Ｗｅｂクライアント部として機能する制御部３１は、テレビ機能起動キーがＯＮ操作されたときに、ＥＰＧサーバに接続するためのＵＲＬの末尾に基地局ＩＤを付加したＵＲＬを送出する。ＥＰＧサーバは、各地域における番組情報を、各基地局ＩＤに対応付けたデータベースを有する。そして、前記ＵＲＬを受け取ったときには、その末尾の基地局ＩＤにて前記データベースから現在放送中の番組の番組情報を取り出し、携帯電話１０に送信する。制御部３１は、番組名を含む選局ボタンとなる表示を行う。ユーザは、前記選局ボタンとなる表示を見て番組を選び、選局ボタンに対する操作を行うことで、携帯電話１０はディジタル放送受信部２０にて放送受信処理を実行する。【選択図】        図１
2006140640.tif 000002
【特許請求の範囲】
【請求項１】
テレビ放送を受信するテレビ放送受信手段及び情報を送受する通信手段を備えたテレビ視聴機能付き移動通信機器において、所定のイベントが生じたときに現在放送中の番組の番組情報を取得する手段と、取得した番組情報に基づいて番組名が表示された選局ボタンとなる表示を行う手段と、前記選局ボタンに対する操作が行われたときに、前記番組情報に基づいて前記テレビ放送受信手段による放送受信を行う手段と、を備えたことを特徴とするテレビ視聴機能付き移動通信機器。
【請求項２】
請求項１に記載のテレビ視聴機能付き移動通信機器において、前記現在放送中の番組の番組情報を、前記テレビ放送受信手段にて受信した放送波から取り出すことを特徴とするテレビ視聴機能付き移動通信機器。
【請求項３】
請求項１に記載のテレビ視聴機能付き移動通信機器において、前記現在放送中の番組の番組情報を、前記通信手段にて接続したネット上のサーバから取得することを特徴とするテレビ視聴機能付き移動通信機器。
【請求項４】
請求項３に記載のテレビ視聴機能付き移動通信機器において、前記通信手段は通信基地局ＩＤを前記サーバに送るように構成されたことを特徴とするテレビ視聴機能付き移動通信機器。
【請求項５】
請求項３に記載のテレビ視聴機能付き移動通信機器において、当該移動通信機器の位置情報を取得する手段を備えており、前記所定操作がなされた時点の前記位置情報を前記サーバに送信するように構成されたことを特徴とするテレビ視聴機能付き移動通信機器。
【請求項６】
請求項３乃至請求項５のいずれかに記載のテレビ視聴機能付き移動通信機器において、前記サーバから前記番組情報に加えて各放送の受信品質情報を取得し、受信可能放送又は受信品質が一定基準以上である放送について前記選局ボタンとなる表示を行うように構成されたことを特徴とするテレビ視聴機能付き移動通信機器。
【請求項７】
請求項１乃至請求項５のいずれかに記載のテレビ視聴機能付き移動通信機器において、前記所定のイベントが生じたときに前記テレビ放送受信手段にて各チャンネルの電波受信を試みて受信品質データを生成し、前記番組情報中の放送の中で受信可能放送又は受信品質が一定基準以上である放送について前記選局ボタンとなる表示を行うように構成されたことを特徴とするテレビ視聴機能付き移動通信機器。
【請求項８】
請求項３乃至請求項５のいずれかに記載のテレビ視聴機能付き移動通信機器において、前記所定のイベントが生じたときに前記サーバから取得した番組情報により得られた放送について、前記テレビ放送受信手段にて電波受信を試みて受信品質データを生成し、受信可能放送又は受信品質が一定基準以上である放送について前記選局ボタンとなる表示を行うように構成されたことを特徴とするテレビ視聴機能付き移動通信機器。
【請求項９】
請求項７又は請求項８に記載のテレビ視聴機能付き移動通信機器において、前記テレビ放送受信手段はチューナを二つ備え、一つのチューナを利用して前記受信品質データを生成することを特徴とするテレビ視聴機能付き移動通信機器。
【請求項１０】
請求項１乃至請求項９のいずれかに記載のテレビ視聴機能付き移動通信機器において、前記所定のイベントはテレビ機能起動ボタンの押下であることを特徴とするテレビ視聴機能付き移動通信機器。
【請求項１１】
請求項１０に記載のテレビ視聴機能付き移動通信機器において、テレビ視聴のＯＦＦ処理がなされてから所定時間経過前にテレビ機能起動ボタンの押下がなされたときには、ラストチャンネルの放送受信映像の表示を行う一方、前記所定時間経過後にテレビ機能起動ボタンの押下がなされたときには、前記選局ボタンとなる表示を行うように構成されたことを特徴とするテレビ視聴機能付き移動通信機器。
【請求項１２】
請求項１乃至請求項９のいずれかに記載のテレビ視聴機能付き移動通信機器において、前記所定のイベントは前記通信における基地局の変更であることを特徴とするテレビ視聴機能付き移動通信機器。
【請求項１３】
請求項１乃至請求項９のいずれかに記載のテレビ視聴機能付き移動通信機器において、前記所定のイベントはチャンネルの変更操作であることを特徴とするテレビ視聴機能付き移動通信機器。
【請求項１４】
請求項１乃至請求項１３のいずれかに記載のテレビ視聴機能付き移動通信機器において、受信映像表示に重ねて前記選局ボタンとなる表示を行うように構成されたことを特徴とするテレビ視聴機能付き移動通信機器。
【発明の詳細な説明】
【技術分野】
【０００１】
この発明は、テレビ放送を受信できる携帯電話やカーナビゲーションシステムなどのテレビ視聴機能付き移動通信機器に関する。
【背景技術】
【０００２】
テレビ放送は、受信可能なチャンネルが同一県域であっても地域により大きく異なっている（特許文献１参照）。また、地上ディジタル放送では、放送波に番組情報を載せており、受信機は前記番組情報に基づいてＥＰＧ（電子番組ガイド）表示が可能である（特許文献２、特許文献３参照）。
【特許文献１】特開２００４−６４５９０号公報
【特許文献２】特開２００２−２５２８１５号公報
【特許文献３】特開平８−５６２０５号公報
【発明の開示】
【発明が解決しようとする課題】
【０００３】
しかしながら、比較的小さな画面（ディスプレイ）を備えるテレビ視聴機能付き移動通信機器においては、据え置きタイプの放送受信装置と同様のＥＰＧ表示を行おうとしても、ユーザにとっては使い勝手が悪いものとなる。特に、ディジタル放送においては、映像の表示に時間がかかる（１セグメント放送のＨ．２６４では、最小でも２秒、最大で５秒かかる）ため、不要な選局はユーザのストレスになる。
【０００４】
この発明は、上記の事情に鑑み、ユーザにとって番組選択が容易であるテレビ視聴機能付き移動通信機器を提供することを目的とする。
【課題を解決するための手段】
【０００５】
この発明のテレビ視聴機能付き移動通信機器は、上記課題を解決するために、テレビ放送を受信するテレビ放送受信手段及び情報を送受する通信手段を備えたテレビ視聴機能付き移動通信機器において、所定のイベントが生じたときに現在放送中の番組の番組情報を取得する手段と、取得した番組情報に基づいて番組名が表示された選局ボタンとなる表示を行う手段と、前記選局ボタンに対する操作が行われたときに、前記番組情報に基づいて前記テレビ放送受信手段による放送受信を行う手段と、を備えたことを特徴とする（以下、この項において第１構成という）。
【０００６】
上記の構成であれば、現在放送中の番組の番組情報に基づいて番組名が表示された選局ボタンとなる表示が行われるので、画面が比較的小さい移動通信機器においても、チャンネル選択が容易になる。そして、選局ボタンに対する操作（ボタン配列に対応したテンキーの押下、ボタンに番号を付記した場合の対応番号のテンキー押下、ボタン上にカーソルを載せて決定キーを押下する操作、タッチパネルにおいては、表示されている選局ボタンに対するタッチ操作等）が行われたときに、前記番組情報に基づいて放送受信が行われるので、所望の番組を簡単に見ることができる。
【０００７】
第１構成において、前記現在放送中の番組の番組情報を、前記テレビ放送受信手段にて受信した放送波から取り出すこととしてもよい（以下、この項において第２構成という）。
【０００８】
第１構成において、前記現在放送中の番組の番組情報を、前記通信手段にて接続したネット上のサーバから取得することとしてもよい（以下、この項において第３構成という）。
【０００９】
第３構成において、前記通信手段は通信基地局ＩＤを前記サーバに送る構成としてもよい（以下、この項において、第４構成という）。或いは、第３構成において、当該移動通信機器の位置情報を取得する手段を備えており、前記所定操作がなされた時点の前記位置情報を前記サーバに送信するように構成されていてもよい（以下、この項において、第５構成という）。
【００１０】
第３構成乃至第５構成のいずれかにおいて、前記サーバから前記番組情報に加えて各放送の受信品質情報を取得し、受信可能放送又は受信品質が一定基準以上である放送について前記選局ボタンとなる表示を行うように構成されていてもよい（以下、この項において、第６構成という）。これによれば、選局ボタンの数を極力少なくすることができるので、ユーザによるチャンネル選択が一層効率的になる。また、選局ボタン数が少なければ、各選局ボタンを一画面に大きく表示することが可能となる。なお、各地域で実際の受信を試みて受信品質データを収集することで、各地域での各放送の受信品質をデータベース化し、これを前記サーバが持つこととすればよい。
【００１１】
第１構成乃至第５構成のいずれか（現在放送中の番組の番組情報を放送波から取得する構成及びサーバから取得する構成のいずれでもよい）において、前記所定のイベントが生じたときに前記テレビ放送受信手段にて各チャンネルの電波受信を試みて受信品質データを生成し、前記番組情報中の放送の中で受信可能放送又は受信品質が一定基準以上である放送について前記選局ボタンとなる表示を行うように構成されていてもよい（以下、この項において第７の構成という）。かかる構成は、テレビ視聴機能付き移動通信機器自身が受信品質を検査して選局ボタンの数を極力少なくするものである。
【００１２】
第３構成乃至第５構成のいずれか（現在放送中の番組の番組情報をサーバから取得する構成）において、前記所定のイベントが生じたときに前記サーバから取得した番組情報により得られた放送について、前記テレビ放送受信手段にて電波受信を試みて受信品質データを生成し、受信可能放送又は受信品質が一定基準以上である放送について前記選局ボタンとなる表示を行うように構成されていてもよい（以下、この項において第８構成という）。かかる構成も、テレビ視聴機能付き移動通信機器自身が電波受信品質を検査して選局ボタンの数を極力少なくするものである。しかも、検査対象となるチャンネルは前記サーバから取得した番組情報により得られた放送であるから、検査対象チャンネル数は少なくなり、短時間での処理が可能となる。更に、前記サーバとの通信と放送波の受信品質検査とを同時並列的に行うことが可能であり、選局ボタンとなる表示の完了までの時間を短縮できる。
【００１３】
第７構成又は第８構成（電波受信品質を検査する構成）において、前記テレビ放送受信手段はチューナを二つ備え、一つのチューナを利用して前記受信品質データを生成することとしてもよい（以下、この項において、第９構成という）。これによれば、他のチューナで或るチャンネルの番組表示を行いつつ、前記一つのチューナにて受信品質を検査し、検査後に選局ボタンとなる表示を行うことが可能となる。
【００１４】
第１構成乃至第９構成のいずれかにおいて、前記所定のイベントはテレビ機能起動ボタンの押下であってもよい（以下、この項において、第１０構成という）。第１０構成において、テレビ視聴のＯＦＦ処理がなされてから所定時間経過前にテレビ機能起動ボタンの押下がなされたときには、ラストチャンネルの放送受信映像の表示を行う一方、前記所定時間経過後にテレビ機能起動ボタンの押下がなされたときには、前記選局ボタンとなる表示を行うように構成されていてもよい。
【００１５】
第１構成乃至第９構成のいずれかにおいて、前記所定のイベントは前記通信における基地局の変更であってもよい。例えば、当該テレビ視聴機能付き移動通信機器を持って移動すると、前記基地局が変更されるが、この変更のタイミングで現在放送中の番組の番組情報を取得することとしてもよい。
【００１６】
第１構成乃至第９構成のいずれかにおいて、前記所定のイベントはチャンネルの変更操作であってもよい。例えば、チャンネルアップダウン操作が行われたときに、現在放送中の番組の番組情報を取得することとしてもよい。
【００１７】
これら構成のテレビ視聴機能付き移動通信機器において、受信映像表示に重ねて前記選局ボタンとなる表示を行うように構成されていてもよい。
【発明の効果】
【００１８】
以上説明したように、この発明によれば、画面が小さい場合でも、現在放送中の番組の番組名を含む選局ボタンとなる表示によって、ユーザは容易に番組選択が行えることになる。特に、前記サーバから現在放送中の番組の番組情報を取得するときには、迅速に選局ボタンとなる表示が行える。更に、受信信号品質などで番組（チャンネル）が絞り込まれるときには、表示される選局ボタンの数は少なくなり、一層番組選択が容易になるという効果を奏する。
【発明を実施するための最良の形態】
【００１９】
以下、この発明の実施形態のテレビ視聴機能付き移動通信機器である携帯電話を図１乃至図６に基づいて説明する。
【００２０】
図１は携帯電話１０を示したブロック図である。この携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。更に、電話機能部３０がデータ通信において番組情報を取得し、これをディジタル放送受信部２０に与える処理なども行う。この処理の詳細は後で説明する。
【００２１】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００２２】
デマルチプレクサ（ＤＥＭＵＸ）３は、前記トランスポート・ストリームを、ＭＰＥＧ（Ｍｏｖｉｎｇ  Ｐｉｃｔｕｒｅ  Ｅｘｐｅｒｔｓ  Ｇｒｏｕｐ）などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等（これら情報を番組情報という）をＣＰＵ１３に供給する。
【００２３】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２４】
映像処理回路５はＡＶデコーダ４から映像データを受け取り、例えば、ＲＧＢデータを生成する。ＲＧＢデータは前記表示部３６に与えられて映像表示がなされる。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００２５】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面やチャンネル選択用のボタン画面などの表示が行えることになる。
【００２６】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）などが格納される。また、メモリ１４には、後述する受信可能テーブルなども格納される。
【００２７】
ＣＰＵ１３は、外部入出力インターフェイス９を介して電話機能部３０と情報の遣り取りを行う。また、ＣＰＵ１３は、ディジタル放送受信部２０自身によるチャンネルサーチ処理及びそのサーチ結果（チャンネルテーブル）を利用した選局処理等を行うことが可能である他、電話機能部３０が取得した現在放送中の番組の番組情報を利用した選局処理も行う。これについては後述する。
【００２８】
携帯電話１０と回線接続関係を形成する携帯電話基地局は、複数存在する携帯電話基地局のなかで最も近くに存在する基地局となる。そして、携帯電話１０とは携帯電話基地局を介してインターネット上のサーバ（以下、ＥＰＧサーバという）に接続することができる。前記制御部３１はメール処理部やＷｅｂクライアント部としても機能する。無線通信部３２は、Ｗｅｂクライアント部の動作時の通信処理、メール通信動作時の通信処理などを行う。
【００２９】
Ｗｅｂクライアント部として機能する制御部３１は、インターネット上に存在するリソースへの到達方法を特定する表記（ＵＲＬ）を送信する処理、リソース側から送信されてくる番組情報等のファイルをメモリ部３４に格納する処理やファイルを解釈して表示画像データを生成する処理等を行う。メール送受信部として機能する制御部３１は、インターネット上のメールサーバからメールを受信したり、或いはメールサーバにメール文を送信する処理を行う。
【００３０】
携帯電話１０は、回線接続関係を形成する携帯電話基地局から基地局ＩＤを取得することができる。そして、Ｗｅｂクライアント部として機能する制御部３１は、前記テレビ機能起動キーがＯＮ操作されたときには、前記ＥＰＧサーバに接続するためのＵＲＬ（例えば、「ｈｔｔｐ：／／ＷＷＷ．○○ＥＰＧ．ｊｐ／」等）の末尾に基地局ＩＤを付加したＵＲＬを送出する。ＥＰＧサーバは、各地域における番組情報（放送局名、チャンネル、番組名、放送時間、番組内容等）を、各基地局ＩＤに対応付けたデータベースを有している。そして、前記ＵＲＬを受け取ったときには、その末尾の基地局ＩＤにて前記データベースからその地域の現在放送中の番組の番組情報を取り出し、携帯電話１０に送信する。
【００３１】
上記処理の概略を図３のフローチャートに示す。携帯電話１０は、テレビ機能起動キーが押下されたことを検出すると（ステップＳ１でＹＥＳ）、インターネットを利用してＥＰＧサーバに接続する（ステップＳ２）。ＥＰＧサーバは、地域情報である基地局ＩＤを検出し（ステップＳ３）、当該地域情報に合わせた現在放送中の番組の番組情報を抽出して送信する（ステップＳ４）。携帯電話１０は、ＥＰＧサーバから送られてくる現在放送中の番組の番組情報を取得してメモリ部３４に格納する（ステップＳ５）。
【００３２】
制御部３１は、前記ＥＰＧサーバから送られてくる現在放送中の番組の番組情報に含まれている各番組についてのチャンネル選局（受信品質検査）をディジタル放送受信部２０に指示する。この時点では、ディジタル放送受信部２０は受信映像の表示処理ではなく、指示があったチャンネルについてのチューニング処理と受信電波レベルの検出を行う。なお、受信電波レベルではなく、受信電波の復調処理を行ってエラーレートの算出を行うこととしてもよい。制御部３１はディジタル放送受信部２０から電波受信品質情報（受信電波レベルやエラーレートなど）を受け取り、これを基準値（例えば、この基準値はメモリ部３４に保持しておく）と比較し、電波受信品質が一定品質以上かどうか或いは放送受信可能かの判断を行う。たとえ前記ＥＰＧサーバから受け取ることができた番組（チャンネル）情報であっても、一定品質に満たない或いは受信不能な番組についての番組情報は破棄して受信可能テーブルを作成していく。この受信可能テーブルは、チャンネル番号（リモートコントロールキーＩＤ）、番組名、放送局名、放送時間、番組紹介などからなる。そして、例えば、制御部３１は、完成した受信可能テーブルをディジタル放送受信部２０に送り、ディジタル放送受信部２０は受け取った受信可能テーブルをメモリ１４に格納する。
【００３３】
制御部３１はキー入力部３５のテンキー番号とチャンネル番号とを対応付けたテーブルを作成してメモリ部３４に格納する。ディジタル放送受信部２０のＣＰＵ１３は、前記受信可能テーブルの内容に基づき、ＯＳＤ回路１２を用いて、図５に示すように、選局ボタンの画像データを生成し、表示部３６に供給する。この実施形態では、一画面に縦３×横３の９個の選局ボタンを表示している。各選局ボタンには、放送局名、放送時間、番組名を表示している。なお、この選局ボタンの表示においては、例えば、視聴頻度（放送局名や番組名ごとに視聴回数データを生成しておけばよい）が高いチャンネルほど、或いは電波受信レベルが高いチャンネルほど上段側に割り当てるといった処理を行ってもよい。受信可能な番組が１０個以上存在するときには、次ページを作成し、この次ページに残りの選局ボタンを表示すればよい。逆に、選局ボタンの数が少ないときには、選局ボタン及び文字を大きく表示してもよい。ユーザがテンキーを操作すると、制御部３１はテンキー番号の情報をディジタル放送受信部２０に与える。ディジタル放送受信部２０のＣＰＵ１３は、前記受信可能テーブルを参照して前記テンキー番号からチャンネル番号（周波数情報）を取得し、チューニング処理、復調処理、デコード処理を行って受信映像を表示部３６に供給する。
【００３４】
上記処理の概略を図４のフローチャートに示す。携帯電話１０は、番組情報から放送局を抽出し（ステップＳ１１）、抽出した放送局の信号レベル（受信電波レベル）を検出する（ステップＳ１２）。信号レベルが一定値以上である場合に受信可能テーブルに当該放送局の番組情報を格納する（ステップＳ１４）。そして、テンキーにチャンネルを割り当て（ステップＳ１５）、選局ボタンの表示を行う（ステップＳ１６）。
【００３５】
なお、テンキーに対するチャンネルの割り当て方としては、選局ボタン配列に対応してテンキーを割り当てる方法、選択ボタンに番号を付記し、この番号とテンキーの番号とを対応付ける方法がある。テンキーにチャンネルを割り当てることに限るものではなく、キー入力部３５の十字キー（方向キー）の操作に応じて選局ボタン上のカーソル（例えば、枠表示）を移動させ、決定キーが操作されたときのカーソル位置のボタンが選択されたと認識する処理、或いは、タッチパネルを用いるときには、ユーザにより直接タッチされた箇所のボタンが選択されたと認識する処理を行うこととしてもよい。なお、図５に示した選局ボタンの表示では、放送局名、放送時間、番組名を表示したが、前記カーソルが載せられた選局ボタンにおいては更に番組紹介（番組詳細情報）を表示することとしてもよい（図６も参照）。
【００３６】
また、上記の実施形態では、基地局ＩＤをＥＰＧサーバに送ることで、携帯電話１０の位置（地域）をＥＰＧサーバが知得できる構成としたが、これに限らず、携帯電話１０がＧＰＳ（グローバル・ポジショニング・システム）を搭載して自ら位置情報（緯度・経度情報）を取得し、この位置情報をＥＰＧサーバに送ることとしてもよい。勿論、これら以外の方法で携帯電話１０の位置（地域）をＥＰＧサーバ側で把握してその地域の現在放送中の番組の番組情報を携帯電話１０に与えるようにしてもよい。
【００３７】
また、上記の実施形態では、ＥＰＧサーバからの現在放送中の番組の番組情報の取得と、放送波の受信品質検査の処理とを同時並行的に行って処理時間の短縮を図ったが、これに限るものではなく、ＥＰＧサーバからの現在放送番組の番組情報の取得を行った後に放送波の受信品質検査の処理を開始してもよい。受信品質や放送受信不能判断に基づく選局ボタンとなる表示の割愛は必須ではなく、たとえ受信品質が一定レベル以下或いは放送受信不能と判断した番組であっても、その番組の選局ボタンとなる表示を行うこととしてもよい。ただし、この場合、当該番組の選局ボタンは他のボタンとは異なる色（例えば、赤色）で表示したり「×」印を表示するなど、他の選局ボタンと異なる態様の表示とするのがよい。また、受信品質が良いものは緑色、受信品質があまりよくないものは赤みがかった色で選局ボタンを表示することとしてもよい。
【００３８】
また、現在放送中の番組の番組情報の取得は、ＥＰＧサーバに限らず、放送波受信によって取得することもできる。ただし、この場合はＥＰＧサーバから番組情報を取得する場合に比べて比較的多くの時間を要すると考えられる。
【００３９】
また、上記の実施形態では、携帯電話１０が放送受信を行って受信品質を検査することとしたが、受信品質情報を前記ＥＰＧサーバから受け取ることとしてもよい。例えば、各地域で実際の受信を試みて各地域での各放送の電波受信品質の収集作業を行ってデータベース化し、このデータベースを前記ＥＰＧサーバが持つこととすればよい。或いは、例えば各基地局がアンテナ及び放送受信設備を備え、その地で受信できる各放送の電波受信品質を定期的に或いはリアルタイムで収集して前記ＥＰＧサーバに与えておくこととしてもよいし、基地局自体がＥＰＧサーバとして番組情報と受信品質情報とを携帯電話１０に与えることとしてもよい。なお、ＥＰＧサーバ側で受信不能或いは受信品質が一定レベル以下であると判断した放送を、携帯電話１０に送る番組情報から外すこととしてもよい。
【００４０】
選局ボタンとなる表示は、図５に示したものに限らず、図６に示すごとく、箇条書き的（リスト表示的）に行ってもよい。この場合も、例えば、十字キーの操作でカーソル（色変わり）を移動させ、所望の箇所にカーソルを載せて決定キーを押すことで携帯電話１０が選局を実行することとすればよい。
【００４１】
また、ディジタル放送受信部２０はチューナを二つ備え、一つのチューナを利用して前記受信品質データを生成することとしてもよい。これによれば、他のチューナで或るチャンネル（ラストチャンネル、或いは、最初に受信品質を満たしていると判断されたチャンネル等）の番組受信映像表示を行いつつ、前記一つのチューナにて受信品質を検査し、検査後に選局ボタンとなる表示を行うことが可能となる。
【００４２】
また、上記実施形態では、テレビ機能起動ボタンの押下をイベントとしてＥＰＧサーバへの接続や受信品質検査等を行ったが、テレビ機能起動ボタンの押下で常にこのよう処理を行うことに限定するものではない。例えば、テレビ視聴のＯＦＦ処理がなされてから所定時間（例えば、３分）経過前にテレビ機能起動ボタンの押下がなされたときには、番組受信の状況変化は無いと考えられるので、前記選局ボタンとなる表示（ＥＰＧサーバ接続、番組情報受信等の処理）行わずに、ラストチャンネルの放送受信映像の表示を行う一方、前記所定時間経過後にテレビ機能起動ボタンの押下がなされたときには、番組受信の状況変化の可能性があると考えて、前記選局ボタンとなる表示（ＥＰＧサーバ接続、番組情報受信等の処理）を行うこととしてもよい。
【００４３】
また、上記実施形態では、テレビ機能起動ボタンの押下をイベントとしてＥＰＧサーバへの接続や受信品質検査等を行ったが、テレビ機能起動ボタンの押下に限らず、携帯電話１０の交信局である基地局が変更されたときに、前記選局ボタンとなる表示（ＥＰＧサーバ接続、番組情報受信等の処理）を行うこととしてもよい。更に、チャンネルの変更操作（チャンネルアップダウン操作等）が行われたときに、前記選局ボタンとなる表示（ＥＰＧサーバ接続、番組情報受信等の処理）を行うこととしてもよい。
【００４４】
また、受信映像表示に重ねて前記選局ボタンとなる表示を行うように構成されていてもよい。例えば、ＥＰＧサーバから番組情報及び受信品質情報を受け取る構成においては、テレビ機能起動ボタンの押下と同時に例えばラストチャンネルの放送受信映像表示も実行し、受信可能テーブルの作成後に、前記受信映像に重ねて選局ボタンとなる表示処理を行うこととしてもよい。勿論、選局ボタンに対する操作が行われたときには、それに対応するチャンネルの放送受信映像表示を行い、前記選局ボタンは非表示とする。また、二つのチューナを備える場合も、同様の重畳処理が可能である。また、チューナを用いた電波受信品質の検査を行わない場合は、一つのチューナでも同様の重畳処理が可能である。また、選局ボタンの表示が可能となるまでは、画面には、「ラストチャンネル受信中」「ただいま、選局ボタンを作成中」「しばらく、お待ちください」といったＯＳＤ表示を行ってもよい。
【００４５】
また、上記の例では、テレビ視聴機能付き通信機器として携帯電話を例示したが、通信機能及び放送受信機能を有する車載型装置としても構成できるものである。
【図面の簡単な説明】
【００４６】
【図１】この発明の実施形態の携帯電話を示したブロック図である。
【図２】この発明の実施形態の携帯電話の放送受信部を示したブロック図である。
【図３】この発明の実施形態の処理内容を示したフローチャートである。
【図４】この発明の実施形態の処理内容を示したフローチャートである。
【図５】この発明の実施形態の携帯電話の外観及び表示内容を示した正面図である。
【図６】この発明の実施形態の携帯電話の外観及び表示内容の他の例を示した正面図である。
【符号の説明】
【００４７】
１０    携帯電話
２０    ディジタル放送受信部
３０    電話機能部
３１    制御部
３２    無線通信部
【図１】
2006140640.tif 000003
【図２】
2006140640.tif 000004
【図３】
2006140640.tif 000005
【図４】
2006140640.tif 000006
【図５】
2006140640.tif 000007
【図６】
2006140640.tif 000008